(57)【特許請求の範囲】
【請求項１】
垂直偏向用のランプ波を発生するためのランプ波発生回路において、
ランプ波発生用コンデンサと、
前記ランプ波発生用コンデンサに定電流を供給するための定電流源と、
前記ランプ波発生用コンデンサの放電を行うと共に当該コンデンサの端子を強制的に所定の基準電圧に固定するための電圧固定手段と、
所望の待機時間に応じたパルス幅を有する制御信号を出力可能な計数回路と、を備え、
前記計数回路の出力する制御信号に応じて前記電圧固定手段を動作させることにより、前記計数回路によって設定された待機時間中、前記ランプ波発生用コンデンサの端子電圧を前記基準電圧に固定し、
前記電圧固定手段は、エミッタが前記ランプ波発生用コンデンサの端子に接続されたトランジスタと、前記計数回路の出力する制御信号に応じて、該トランジスタのベースに第１の電圧ＶLまたは第２の電圧ＶH（ＶH＞ＶL）を切り換えて供給するためのスイッチと、を備え、前記トランジスタのベースに第１の電圧ＶLが供給される期間中、前記ランプ波発生用コンデンサの端子は前記所定の基準電圧に固定されると共に、前記トランジスタのベースに第２の電圧ＶHが供給される期間中は、前記トランジスタがオフされることを特徴とする垂直ランプ波発生回路。
【発明の詳細な説明】
【０００１】
【発明の属する技術分野】
本発明は、テレビジョン受像機や各種のモニター機器（以下、テレビジョン受像機等という）における垂直走査用のランプ波発生回路に関し、特にインターレース特性を改善した垂直ランプ波発生回路に関する。
【０００２】
【従来の技術】
図５に従来例の垂直ランプ波発生回路を示す。定電流源１はコンデンサ３に定電流I1を供給し、定電流源２はスイッチSW1が閉じるとコンデンサ３から放電電流I2をアースGNDに流す。基本的にはこの繰り返しにより、ランプ波電圧がコンデンサ３の端子９に発生する。ここで、スイッチSW1の開閉を行うための回路構成としては以下の通りである。
【０００３】
レベル検出用の差動アンプ４の反転入力端子（−）には、コンデンサ３の端子電圧が供給され、非反転入力端子（＋）には所定の基準電圧Vrefが供給されている。７は、スイッチSW1に制御信号を供給するＲＳフリップフロップであり、リセット端子Ｒにはトリガ信号として所定のリセットパルス信号が供給され、一方セット端子Ｓには上記差動アンプ４のレベル検出出力が供給されている。
【０００４】
上述した構成の垂直ランプ波発生回路の動作を図５及び、図６に示した動作タイミング図を参照しながら説明する。リセットパルス信号（例えば、「Ｈ」レベル）が発生すると、このパルス信号はＲＳフリップフロップ７によって保持され、このＲＳフリップフロップ７の出力＊Ｑ（「Ｈ」レベル）に応じてスイッチSW1が閉じる。これにより、放電電流I2が流れる。
【０００５】
そして、端子９の電圧が基準電圧Vrefにまで下降すると差動アンプ４の出力が反転する結果、ＲＳフリップフロップ７の出力＊Ｑは「Ｌ」レベルになり、これに応じてスイッチSW1が開き、放電電流I2が遮断される。これにより、定電流源１によりコンデンサ３の充電が行われ、ランプ波が発生開始する。
【０００６】
【発明が解決しようとする課題】
しかしながら、テレビジョン受像機等においては、ｆh（水平周波数）成分の外乱が生じる。ここで、インターレースが行われるテレビジョン受像機等においては、１枚の画像は偶数フィールドと奇数フィールドの２フィールドから成り立っている。これらのフィールドにおいてｆh成分の外乱はハーフＨ期間ずれて発生するので、いずれかのフィールドに属するｆh成分の外乱が、ランプ波発生開始のタイミングに生じると、インターレース特性が悪化することがあった。
【０００７】
すなわち、図７に示すようにｆh成分の外乱が発生したとすると、基準電圧Vrefのレベルが変化してしまう。すると、レベル検出を行う差動アンプ４は図中の交点Ａで反転出力してしまうために、本来のランプ波に対してずれ電圧ΔＶが生じていた。このずれ電圧ΔＶが許容値を超えるとインターレース特性が悪化してしまう。
【０００８】
そこで本発明の目的とするところは、インターレース特性を改善した垂直ランプ波発生回路を提供することである。また、本発明の他の目的はＩＣ化に適した垂直ランプ波発生回路を提供することである。
【０００９】
【課題を解決するための手段】
本発明の垂直ランプ波発生回路は、垂直偏向用のランプ波を発生するためのランプ波発生回路において、ランプ波発生用コンデンサと、前記ランプ波発生用コンデンサに定電流を供給するための定電流源と、前記ランプ波発生用コンデンサの放電を行うと共に当該コンデンサの端子を強制的に所定の基準電圧に固定するための電圧固定手段と、所望の待機時間に応じたパルス幅を有する制御信号を出力可能な計数回路と、を備え、前記．計数回路の出力する制御信号に応じて前記電圧固定手段を動作させることにより、前記計数回路によって設定された待機時間中、前記ランプ波発生用コンデンサの端子電圧を基準電圧に固定することを特徴とする。
かかる手段によれば、所望の待機時間中、ランプ波発生用コンデンサの端子電圧を基準電圧に固定しているので、ランプ開始時点においてｆh成分の外乱が生じても、外乱が消滅した後には当該コンデンサの端子電圧に再び固定される。また、計数回路によって上記待機時間を設定しているので、ランプ開始のタイミングを正確に決定することができ、インターレース特性を確実に改善することが可能となる。
【００１０】
【発明の実施の形態】
次に、本発明の実施形態について図面を参照しながら説明する。図１に、本発明の実施形態に係る垂直ランプ波発生回路を示す。また、図２に図１に示した垂直ランプ波発生回路の動作タイミング図を示す。また図３に、本発明の実施形態に係る垂直ランプ波発生回路の出力が供給される垂直偏向ドライブ回路を示す。
【００１１】
図１中、１０はランプ波発生用コンデンサ１１に定電流I1を供給するための定電流源である。１２は電圧固定用のＰＮＰ型トランジスタであり、エミッタがコンデンサ１１の端子１７に接続され、コレクタはアースGNDに接続されている。また、コンデンサ１１の端子１７からランプ波の出力端子OUTが取り出されている。
【００１２】
１３は高電圧ＶHを供給する電圧源、１４は低電圧ＶLを供給する電圧源である。上記ＰＮＰ型トランジスタ１２のベースにはこれらの電圧ＶH，ＶLがスイッチSW2によって切り換えられ択一的に供給される。
【００１３】
ここで、ＰＮＰ型トランジスタ１２のベースに高電圧ＶHが供給されるとトランジスタ１２はオフし、低電圧ＶLが供給されると、トランジスタ１２はオンし、エミッタ電流が流れることによりコンデンサ１１の端子１７（トランジスタ１２のエミッタ）のレベルは急速に低下し、基準電圧Vref（Vref=ＶL+VBE）に固定される。ここで、VBEはベースエミッタ間電圧である。
【００１４】
１５はカウンター回路（計数回路）であり、トリガ端子１６に供給される所定のトリガパルス信号に応じてカウントを開始し、所望のパルス幅（時間）を有する制御信号Ｑを出力する。トリガパルス信号としては、垂直同期信号Vsyncを利用することができる。ただし、垂直同期信号Vsyncに相当する信号として、カウンター回路１５からの自己リセットによるリセットパルスを利用することもできる。
【００１５】
また、カウンター回路１５の基準クロックとして２ｆh（ｆhは水平周波数）の周波数クロックを用いるのが適当である。
【００１６】
また、カウンター回路１５はトリガパルス信号に応じて自己リセット可能に構成されているものとする。カウンター回路１５の出力する制御信号のパルス幅ｔLは段数ｎにより所望の値に設定することができる。このパルス幅ｔLはランプ波発生開始までの待機時間に相当するものであり、その待機時間ｔL＝２ｎｆhクロックである。
【００１７】
次に、上述した構成の垂直ランプ波発生回路の基本動作について図３を参照しながら説明する。垂直同期信号Vsyncに応じてカウンター回路１５は、待機時間ｔL中、「Ｈ」レベルを出力する。
【００１８】
すると、この待機時間ｔL中、スイッチSW2は電圧源１４側に切り換わるのでトランジスタ１２のベースに低電圧ＶLが供給され、トランジスタ１２はオンし、エミッタ電流が流れることによりコンデンサ１１の端子１７（トランジスタ１２のエミッタ）のレベルは急速に低下し、基準電圧Vrefに固定される。
【００１９】
待機時間ｔLが終了すると、スイッチSW2は電圧源１３側に切り換わるので、トランジスタ１２のベースに高電圧ＶHが供給され、トランジスタ１２はオフし、定電流源１０によってランプ波発生用コンデンサ１１が充電されることによりランプ波の発生が開始される。
【００２０】
上述した構成の垂直ランプ波発生回路の出力OUTは、例えば図３に示す垂直偏向ドライブ回路に供給される。出力ランプ波は入力端子２１、入力抵抗Ｒ1を介して差動アンプ２０の反転入力端子（−）に供給される。
【００２１】
差動アンプ２０の出力は、垂直偏向ヨークコイル２２の一端に供給される。垂直偏向ヨークコイル２２の他端は、コンデンサ２３を介してアースGNDに接続される。また、垂直偏向ヨークコイル２２とコンデンサ２３の接続点の電圧は抵抗Ｒ2を介して差動アンプ２０の非反転入力端子（＋）に帰還される。こうして、垂直ランプ波発生回路の出力ランプ波は垂直偏向ドライブ回路によって増幅され、垂直偏向ヨークコイル２２に供給される。
【００２２】
次に、上述した構成の垂直ランプ波発生回路のランプ開始時に外乱が加わった場合の動作について、図４を参照して説明する。図中に示すようなｆh成分の外乱が加わった場合、その外乱が加わっている期間、ランプ波発生用コンデンサ１１の端子１７は影響を受ける。しかし、上記待機時間ｔL中、ランプ波発生用コンデンサ１１の端子１７常に基準電圧Vrefに引っ張られているので、上記外乱が消滅した後には元の基準電圧Vrefに戻る。
【００２３】
したがって、ランプ開始時刻は待機時間ｔLによって定められた通り、一定となる。また、ｆh成分の外乱の発生タイミングが待機時間ｔL終了後にずれ込んだ場合でも、ランプ開始時刻は待機時間ｔLによって決まるので、インターレース特性が悪化することが防止される。
【００２４】
このように、本発明の垂直ランプ波発生回路では従来例のようなレベル検出を行ってそのレベル検出信号を帰還させるような構成を採用せず、カウンター回路１５によって設定された待機時間ｔL中、レベルを固定する方式を採用したので、ｆh成分の外乱が加わってもランプ開始時を常に一定とすることができる。
【００２５】
また、外付けのモノステーブルマルチバイブレータ等による遅延回路により待機時間ｔLを設定し、インターレース特性を改善する方式に比べ、本発明によればカウンター回路１５によって待機時間ｔLを設定しているので、ＩＣ化することが容易であると共に、待機時間ｔLを正確に設定することができる。
【００２６】
【発明の効果】
本発明の垂直ランプ波発生回路によれば、ランプ波発生用コンデンサの端子電圧を計数回路によって設定される待機時間中、基準電圧に固定するようにしたので、ランプ開始時点においてｆh成分の外乱が加わっても、ランプ開始のタイミングを正確に決定することができ、インターレース特性を確実に改善することが可能となる。
【図面の簡単な説明】
【図１】本発明の実施形態に係る垂直用ランプ波発生回路の回路図である。
【図２】本発明の実施形態に係る垂直用ランプ波発生回路の動作タイミング図である。
【図３】本発明の実施形態に係る垂直用ランプ波発生回路の出力が供給される垂直偏向ドライブ回路を示す回路図である。
【図４】本発明の実施形態に係る垂直用ランプ波発生回路の動作波形図である
【図５】従来例に係る垂直用ランプ波発生回路の回路図である。
【図６】従来例に係る垂直用ランプ波発生回路の動作タイミング図である。
【図７】従来例に係る垂直用ランプ波発生回路の動作波形図である。
【符号の説明】
１         定電流源
２         定電流源
３         コンデンサ
４         差動アンプ
７         ＲＳフリップフロップ
９         端子
１０       定電流源
１１       コンデンサ
１２       ＰＮＰ型トランジスタ
１３       電圧源
１４       電圧源
１５       カウンター回路（計数回路）
１６       トリガ端子
１７       端子
２０       差動アンプ
２１       入力端子
２２       垂直偏向ヨークコイル
２３       コンデンサ
【図１】
0004592181.tif 000002
【図２】
0004592181.tif 000003
【図３】
0004592181.tif 000004
【図４】
0004592181.tif 000005
【図５】
0004592181.tif 000006
【図６】
0004592181.tif 000007
【図７】
0004592181.tif 000008